(57)【要約】【課題】油煙などで汚れたフィルターの清掃の手間を軽減することを目的とする。【解決手段】調理器の上方または周囲に設置され、吸込口１と吐出口４を有し内部に排気ファン５を配設したフード２と、吸込口１と吐出口４とを排気用ファン５を介して結ぶ通風路６に配設したフィルター７を備え、フィルター７は親水性処理が施されるとともに、通風路に連通するケーシング８内で駆動手段によって回転するように設けられ、フィルター７を加湿する手段と、前記ケーシング８に廃棄物回収手段を設けたことにより、フィルター７を取外して掃除することもなくフィルターについた汚れを除去できる。【選択図】図１
2006292326.tif 000002
【特許請求の範囲】
【請求項１】
調理器の上方または周囲に設置され、吸込口と吐出口を有し内部に排気ファンを配設したフードと、前記吸込口と前記吐出口とを前記排気用ファンを介して結ぶ通風路に配設したフィルターとを備え、前記フィルターは親水性処理が施されるとともに、前記通風路に連通するケーシング内で駆動手段によって回転するように設けられ、前記フィルターを加湿する手段と、前記ケーシングに廃棄物回収手段を設けたレンジフード。
【請求項２】
ケーシング内面に親水性処理を施したことを特徴とする請求項１記載のレンジフード。
【請求項３】
加湿する手段で一定時間加湿した後にフィルターを回転させることを特徴とする請求項１または２記載のレンジフード。
【請求項４】
排気ファンの運転を停止するごとに、フィルターを加湿して前記フィルターを回転させることを特徴とする請求項１または２記載のレンジフード。
【請求項５】
排気ファンの運転時間を積算し、停止時にその積算時間に応じてフィルターへの加湿量や加湿時間、回転速度や回転時間を制御することを特徴とする請求項１または２記載のレンジフード。
【発明の詳細な説明】
【技術分野】
【０００１】
本発明はレンジフードに取り付けるフィルターの汚れ除去に関するものである。
【背景技術】
【０００２】
従来より、レンジフードには調理で発生する油煙や埃等を捕集する目的として、フィルターもしくはバッフル板などが取り付けられていた。このフィルターやバッフル板は使用とともに汚れが付着するため、性能が低下したり、レンジフードを構成する捕集部から油垂れが生じるので、定期的な掃除を行う必要があった。また市販されている使い捨ての不織布を吸込み口に貼り付けるなどで掃除の手間を軽減することも行われているが、調理で発生した火によって引火する危険もあった。
【０００３】
また、これら掃除の手間を軽減する目的でフィルターを自動的に浄化する手段として、フィルターに駆動手段を取り付けて回転させることにより、遠心力で汚れを除去する方法があった（例えば特許文献１参照）。
【０００４】
以下、その排気装置について、図２を参照しながら説明する。
【０００５】
図２に示すように、排気ファン１０１の前方にフィルター１０２を配置し、このフィルター１０２を回転させる駆動装置１０３と、フィルター１０２の汚れを検知するセンサー１０４とを備えることで、フィルターの汚れを検知してフィルターを駆動装置で回転させ、汚れを遠心力で除去させている。
【特許文献１】特開平３−１６４６３９号公報（第３頁、第１図）
【発明の開示】
【発明が解決しようとする課題】
【０００６】
このような従来のレンジフードでは、油等の汚れがフィルター１０２に付着した状態で乾燥すると、遠心力だけでは十分に除去するのが困難であり、次第にフィルターが目詰まりを起こし、性能が低下するという課題があった。
【０００７】
本発明は、このような従来の課題を解決するものであり、フィルターを取外すことなく、かつ手間なくフィルターに付着し乾燥した汚れをも除去できることを特徴としたレンジフードを提供することを目的としている。
【課題を解決するための手段】
【０００８】
本発明のレンジフードは、上記目的を達成するために、調理器の上方または周囲に設置され、吸込口と吐出口を有し内部に排気ファンを配設したフードと、前記吸込口と前記吐出口とを前記排気用ファンを介して結ぶ通風路に配設したフィルターとを備え、前記フィルターは親水性処理が施されるとともに、前記通風路に連通するケーシング内で駆動手段によって回転するように設けられ、前記フィルターを加湿する手段と、前記ケーシングに廃棄物回収手段を設けたものである。
【０００９】
この手段により、フィルターを取外して掃除することもなくフィルターについた汚れを除去でき、掃除の手間を軽減することのできるレンジフードを提供することができる。
また、他の手段は、ケーシングの内面に親水性処理を施したものである。
【００１０】
この手段により、遠心力で除去された汚れが、ケーシングの内面に付着して溜まることを防止することができる。
【００１１】
また、他の手段は、加湿する手段で一定時間加湿した後にフィルターを回転させるものである。
【００１２】
この手段により、水分を十分にフィルター表面に散布することができるため、親水性処理の効果を高め、汚れをフィルターから容易に剥がすことができる。
【００１３】
また、他の手段は、排気ファンの運転を停止するごとに、フィルターを加湿して回転させるものである。
【００１４】
この手段により、フィルターに汚れが乾燥して固着する前に汚れを除去することができる。
【００１５】
また、他の手段は、排気ファンの運転時間を積算し、停止時にその積算時間に応じてフィルターへの加湿量や加湿時間、回転速度や回転時間を制御するものである。
【００１６】
この手段により、汚れの量に応じた除去を行うことができる。
【発明の効果】
【００１７】
本発明によれば、親水性処理を施したフィルターに加湿することで、親水性効果により汚れがフィルター表面から剥がれやすい状態をつくり、そこに遠心力を加えることで汚れをフィルター外周部に設けたケーシング部に飛ばすことができ、フィルターを取外すことなくフィルターに乾燥して付着した汚れをも除去することができるレンジフードを提供できる。
【００１８】
また、ケーシング内面に親水性処理を施すことにより、加湿した水分でケーシングに付着した汚れが剥がれやすくなることから、遠心力によって飛散した汚れをケーシング内に溜めることなく、廃棄物回収手段に効果的に集めることができるレンジフードを提供できる。
【００１９】
また、加湿する手段で一定時間加湿した後にフィルターを回転させることで、水分を十分にフィルター表面に散布することができるため、さらに親水性処理の効果を高め、汚れをフィルターから容易に剥がすことができるレンジフードを提供できる。
【００２０】
また、排気ファンの運転を停止するごとに、フィルターを加湿して回転させることで、汚れがフィルターに固着する前に汚れを除去することができるレンジフードを提供できる。
【００２１】
また、排気ファンの運転時間を積算し、停止時にその積算時間に応じてフィルターへの加湿量や加湿時間、フィルターの回転速度や回転時間を制御することで、汚れの量に応じた除去を行うことができるレンジフードを提供できる。
【発明を実施するための最良の形態】
【００２２】
本発明の請求項１記載のレンジフードは、調理器の上方または周囲に設置され、吸込口と吐出口を有し内部に排気ファンを配設したフードと、前記吸込口と前記吐出口とを前記排気用ファンを介して結ぶ通風路に配設したフィルターとを備え、前記フィルターは親水性処理が施されるとともに、前記通風路に連通するケーシング内で駆動手段によって回転するように設けられ、前記フィルターを加湿する手段と、前記ケーシングに廃棄物回収手段を設けたものであり、親水性処理を施したフィルターに加湿することで、親水性効果により汚れがフィルター表面から剥がれやすい状態をつくり、そこに遠心力を加えることで汚れをフィルター略外周部に設けたケーシング部に飛ばすことができ、フィルターを取外すことなくフィルターに乾燥して付着した汚れをも除去できる作用を有する。
【００２３】
また、本発明の請求項２記載のレンジフードは、ケーシング内面に親水性処理を施したものであり、加湿した水分でケーシングに付着した汚れが剥がれやすくなることから、遠心力によって飛散した汚れをケーシング内に溜めることなく、廃棄物回収手段に効果的に集めることができるという作用を有する。
【００２４】
また、本発明の請求項３記載のレンジフードは、加湿する手段で一定時間加湿した後にフィルターを回転させるものであり、水分を十分にフィルター表面に散布することができるため、さらに親水性処理の効果を高め、汚れをフィルターから容易に剥がすことができる作用を有する。
【００２５】
また、本発明の請求項４に記載のレンジフードは、排気ファンを停止するごとに、フィルターを加湿して回転させるものであり、汚れが前記フィルターに固着する前に汚れを除去することができる作用を有する。
【００２６】
また、本発明の請求項５記載のレンジフードは、排気ファンの運転時間を積算し、停止時にその積算時間に応じてフィルターへの加湿量や加湿時間、回転速度や回転時間を制御するものであり、汚れの量に応じた除去を行うことができる作用を有する。
【００２７】
以下、本発明の実施形態について図面を参照しながら説明する。
【００２８】
（実施の形態１）
図１に示すように、調理器（図示せず）の上方または周囲に下面に、調理器から発生する油煙や周囲に浮遊する埃を捕集する吸込口１を設けたフード２を設置し、フード２には、天面に屋外と連通したダクト３を介して連通する吐出口４を設け、内部に排気ファン５を配設してこの排気ファン５を介し吸込口１と吐出口４を結ぶ通風路６を形成している。また、フード２内の吸込口１近傍には油煙や埃を捕集するフィルター７が配設されている。このフィルター７は通風路６に連通するケーシング８内で回転するように駆動手段である駆動用モーター９の回転軸に固着されるとともに、表面に親水性処理を施している。またケーシング８の内面にも親水性処理を施している。そして、ケーシング８の近傍に、給水タンク１０が給水パイプ１１によって連通されるとともに、ケーシング８の上面にフィルター７を臨むように設けられた噴霧ノズル１２がパイプ１３によって連結された加湿装置１４が設けられている。これら給水タンク１０、給水パイプ１１、噴霧ノズル１２、パイプ１３および加湿装置１４からフィルターを加湿する手段を構成している。また、ケーシング８の下端部に小孔８ａを形成し、その下方部に廃棄物回収手段である廃棄物容器１５を設けている。
【００２９】
上記構成において、調理器によって調理するとき排気ファン５を運転すると、油煙や埃はフード２の吸込口１からフード２内に吸い込まれ、フィルター７で捕集される。そして、この排気ファンの運転が停止した後、加湿装置１４を作動させ、噴霧ノズル１２からフィルター７に湿気を噴霧させるとともに、フィルター７を駆動モーター９によって回転させる。すると、フィルター７に付着した汚れは、親水性処理を施しているので湿気により剥がれやすくなり、さらに、フィルター７を回転することにより遠心力で飛散してケーシング８の内面に当たって付着するが、ケーシング８内面も親水性処理を施しているので、下方に流下していき、下端部の小孔８ａからその下方部に設けられた廃棄物容器１５に滴下していく。
【００３０】
以上のように本発明の実施１の形態によれば、フィルター７を取外すことなくフィルター７に付着した汚れを除去することができ、掃除の手間が軽減される。
【００３１】
なお、加湿装置１４は、超音波加湿装置やヒーター式加湿装置など湿気を発生させることができるものであればよく、散水装置により直接散水する方法でもその効果に変わりはない。
【００３２】
また、フィルター７の種類も特に限定されるものではなく、用途や要求される捕集性能に応じて、網状のもの、パンチングフィルターやバッフル板状のものであってもよい。
【００３３】
（実施の形態２）
本実施の形態では、加湿装置１４で一定時間加湿した後にフィルター７を回転させるような制御を行う。このことにより、フィルター７の表面を十分加湿することで親水性処理の効果をさらに高めてから、遠心力を加えることで汚れをフィルター７から容易に剥がすことができる。
【００３４】
（実施の形態３）
本実施の形態では、排気ファン５を停止するごとに、フィルター７を加湿して回転させる制御を行う。排気ファン５を停止するごとにフィルター７の汚れを除去することから、フィルター７に汚れが乾燥して固着させることなく、フィルター７を常にきれいな状態を保つことができる。
【００３５】
（実施の形態４）
本実施の形態では、排気ファン５の運転時間を積算し、停止時にその積算時間に応じてフィルター７への加湿量、加湿時間、回転速度、回転時間のいずれかの、あるいは組み合わせたものの制御を行う。このことにより、でフィルター７の汚れをより適切に除去することができる。
【産業上の利用可能性】
【００３６】
親水性処理を施したフィルターに加湿させて遠心力を加えて汚れを取り除く構成により、汚れをフィルターで捕集する排気装置にも適用することができる。
【図面の簡単な説明】
【００３７】
【図１】本発明の実施の形態１におけるレンジフードを示す側面断面図
【図２】従来のレンジフードを示す図
【符号の説明】
【００３８】
１  吸込口
２  フード
４  吐出口
５  排気ファン
６  通風路
７  フィルター
８  ケーシング
９  駆動モーター
１４  加湿装置
１５  廃棄物容器
【図１】
2006292326.tif 000003
【図２】
2006292326.tif 000004